(57)【特許請求の範囲】
【請求項１】
集塵室と、電動送風機を内包する電動機室と、コードを収容するコードリール室と、前記電動機室とコードリール室をしきる隔壁と、前記コードリール室の一部に設けたコード出口と、前記電動機室の後部に設けられた排気口とを備え、前記コードリール室の底面で後部排気口近傍に排気穴を設けると共に前記排気穴に後上方開口した箱状リブを設けて、前記排気穴からの排気を本体後部より斜め上方に排出することで、前記排気口からの排気と干渉させた電気掃除機。
【発明の詳細な説明】
【０００１】
【発明の属する技術分野】
本発明は一般家庭で使用される電気掃除機に関するもので、特に床面の塵の舞上げ防止とコード出口からの排気の低減に関するものである。
【０００２】
【従来の技術】
従来の電気掃除機を図１０、図１１を用いて説明する。
【０００３】
図に示すように、掃除用ホース１が接続される吸入口２が連通する集塵室５は、その上方の蓋３を開放して集塵袋４が収容されるようになっている。この集塵室５と、電動送風機６を内包する電動機室７と、コード８が収容されるコードリール室９と、前記電動機室７とコードリール室９とを仕切る隔壁２１を有し、電動送風機６の排気は主に排気フィルター１０により浄化されたあと排気口１１から掃除機本体外部に排気される。電動送風機６の排気の一部は隔壁２１に設けられた通風口１２又は隔壁２１の隙間よりコードリール室９に流入し、コード８を冷却したあと本体後部のコード出口１３とコードリール室９の側面中央部の排気穴１４から分散されて掃除機本体外部に排気される様になっていた。
【０００４】
【発明が解決しようとする課題】
従来の電気掃除機にあっては、コードの冷却風の排気穴１４がコードリール室９の側面中央部に設けられているため、コードリール室９の上部に熱がこもりやすく、少量の冷却風では十分にコード８を冷却できなかった。更に側面の排気穴１４からの排気により床面の塵を舞上げるという課題を有していた。
【０００５】
本発明は、以上のような従来の課題を解決しようとするものであって、騒音を増加する事なくコ−ド出口からの排気を低減し、排気が人体に与える不快感を低減し、更に排気による床面の塵の舞上げを防止することを目的としている。
【０００６】
【課題を解決するための手段】
上記目的を達成するために本発明は、集塵室と、電動送風機を内包する電動機室と、コードを収容するコードリール室と、前記電動機室とコードリール室をしきる隔壁と、前記コードリール室の一部に設けたコード出口と、前記電動機室の後部に設けられた排気口とを備え、前記コードリール室の底面で後部排気口近傍に排気穴を設けると共に前記排気穴に後上方開口した箱状リブを設け、前記排気穴からの排気を本体後部より斜め上方に排出することで、前記排気口からの排気と干渉させたものである。
【０００７】
上記構成によれば、コ−ドを冷却した冷却風は、コ−ド出口及び底面の排気穴から排気されるため、騒音を増加する事なくコ−ド出口からの排気を低減し、排気が人体に与える不快感を低減できる。更に、排気穴からの排気を本体後部より斜め上方に排出することで掃除機本体の排気口からの排気と干渉して、排気全体が上方を向くようになるため、床面の塵の舞上げを防止できる。
【０００８】
【発明の実施の形態】
請求項１に記載の発明は、集塵室と、電動送風機を内包する電動機室と、コードを収容するコードリール室と、前記電動機室とコードリール室をしきる隔壁と、前記コードリール室の一部に設けたコード出口と、前記電動機室の後部に設けられた排気口とを備え、前記コードリール室の底面で後部排気口近傍に排気穴を設けると共に前記排気穴を後上方開口した箱状リブで覆って、前記排気穴からの排気を本体後部より斜め上方に排出することで、前記排気口からの排気と干渉させた電気掃除機であり、コ−ドを冷却した冷却風は、コ−ド出口及び底面の排気穴から排気されるため、騒音を増加する事なくコ−ド出口からの排気を低減し、排気が人体に与える不快感を低減でき、更に、排気穴からの排気を本体後部より斜め上方に排気することで掃除機本体の排気口からの排気と干渉し、排気全体が上方を向くようになるため、床面の塵の舞上げを防止する。
【０００９】
【実施例】
（参考例１）
以下本発明の第１の参考例を、図１及び図２を用いて説明する。
【００１０】
電気掃除機の本体は、掃除用ホース１が接続される吸入口２と、蓋３を開放して集塵袋４が収容される集塵室５と、電動送風機６を内包する電動機室７と、前記集塵室５及び前記電動機室７から隔離されコ−ド８が収容されるコードリール室９とを備えており、前記電動機室７は後部に排気フイルター１０及び排気口１１を有し、前記コードリール室９は後部にコード出口１３と、側面上部に排気穴１４を有している。
【００１１】
上記構成による作用は以下の通りである。
【００１２】
電動送風機６の排気は主に排気フィルター１０により浄化されたあと排気口１１から掃除機本体外部に排気される。電動送風機６の排気の一部は隔壁２１に設けられた通風口１２又は隔壁２１の隙間を介してコードリール室９に流入しコード８を冷却した後、コード出口１３及び排気穴１４から排気される。熱のこもりやすい上部に排気穴１４があるため、コードリール室９内の熱のこもりが防止され冷却効率が向上し、更に、冷却風の排気穴１４を床面から遠ざけたことで排気穴１４からの排気による床面の塵の舞上げが軽減される。
【００１３】
（参考例２）
以下本発明の第２の参考例を図３を用いて説明する。なお上記第１の参考例と同一構成部品については同一符号を付して、その説明を省略する。
【００１４】
本参考例では、本体側面に設けられた排気穴１４を細塵を捕集する集塵フィルター１６で覆う様にする。
【００１５】
上記構成による作用は以下の通りである。
【００１６】
コード８を横切った冷却風は本体側面によってせき止められる事なく集塵フィルター１６によって浄化された後、排気穴１４から排気されるため、集塵効率が向上する。
【００１７】
（参考例３）
以下本発明の第３の参考例を図４を用いて説明する。なお上記第１の参考例と同一構成部品については同一符号を付して、その説明を省略する。
【００１８】
本体側面に設けられた排気穴１４を、上方開口した箱状リブ１８で覆い、前記排気穴１４からの排気が上方に排気されるようにする。
【００１９】
上記構成による作用は以下の通りである。
【００２０】
排気穴１４から排気された冷却風は、上方開口した箱状リブ１８によって方向を変えて上方に排気されるため、床面の塵の舞いあげが防止される。
【００２１】
（参考例４）
以下本発明の第４の参考例を図５を用いて説明する。なお上記第１の参考例と同一構成部品については同一符号を付して、その説明を省略する。
【００２２】
コードリール室９の側面の少なくとも一部覆うように配置した本体移動用の車輪１５を設け、前記車輪１５の裏面に位置し、前記コードリール室９の側面上部に排気穴１４を設けたものである。
【００２３】
上記構成による作用は以下の通りである。
【００２４】
排気穴１４を車輪１５で覆うことにより、排気穴１４から冷却風が排気される際の騒音が低減される。
【００２５】
（参考例５）
以下本発明の第５の参考例を図６を用いて説明する。なお上記第１の参考例と同一構成部品については同一符号を付して、その説明を省略する。
【００２６】
本体側面に設けられた排気穴１４を覆う車輪１５に厚み方向に複数の穴１９を設けものである。
【００２７】
上記構成による作用は以下の通りである。
【００２８】
車輪１５で覆われた排気穴１４から排気された冷却風は、車輪１５によってせき止められる事なく車輪１５の複数の穴１９から分散されて排気されるため、騒音を増加することなく冷却風の流れをよりスムーズにし、冷却効率を向上させる。
【００２９】
（参考例６）
以下本発明の第６の参考例を図７を用いて説明する。なお上記第１の参考例と同一構成部品については同一符号を付して、その説明を省略する。
【００３０】
本体側面に複数個の排気穴１４を設けると共に、いずれも車輪１５の外周部近傍に対向する位置に配置したものである。
【００３１】
上記構成による作用は以下の通りである。
【００３２】
コード８を横切った冷却風は排気穴１４から分散されて排気されるため、騒音及び排気による床面の塵の吹き飛ばしが軽減される。
【００３３】
（実施例１）
以下本発明の第１の実施例を図８を用いて説明する。なお上記第１の参考例と同一構成部品については同一符号を付して、その説明を省略する。
【００３４】
コードリール室９底面の後部に、排気口１１近傍の排気穴２０を設けたものである。
【００３５】
上記構成による作用は以下の通りである。
【００３６】
コード８を冷却した冷却風は、コード出口１３及び底面の排気穴２０から排気されるため、騒音を増加する事なくコード出口１３からの排気を低減し、排気が人体に与える不快感を低減する。
【００３７】
（実施例２）
以下本発明の第２の実施例を図９を用いて説明する。なお上記第１の実施例と同一構成部品については同一符号を付して、その説明を省略する。
【００３８】
本体底面の排気穴２０を後上方開口した箱状リブ２１で覆い、前記排気穴２０からの排気が本体後部より斜め上方に排気されるようにしたものである。
【００３９】
上記構成による作用は以下の通りである。
【００４０】
底面の排気穴２０からの排気を本体後部より斜め上方に排気することで掃除機本体の排気口１１からの排気と干渉し、排気全体が上方を向くようになるため、床面の塵の舞上げを防止する。
【００４１】
【発明の効果】
本発明によれば、排気による騒音の増加を防いでコ−ド出口からの排気を低減することができ、更に排気による床面の塵の舞上げを低減できる。
【図面の簡単な説明】
【図１】  本発明の第１の参考例を示す電気掃除機の側面図
【図２】  図１のＡ−Ａ断面図
【図３】  本発明の第２の参考例を示す電気掃除機の平面断面図
【図４】  本発明の第３の参考例を示す電気掃除機の要部斜視図
【図５】  本発明の第４の参考例を示す電気掃除機の側面図
【図６】  本発明の第５の参考例を示す電気掃除機の側面図
【図７】  本発明の第６の参考例を示す電気掃除機の要部側面図
【図８】  本発明の第１の実施例を示す電気掃除機の側面断面図
【図９】  本発明の第２の実施例を示す電気掃除機の側面断面図
【図１０】  従来の電気掃除機の側面図
【図１１】  図１０−Ｂ−Ｂ断面図
【符号の説明】
５  集塵室
７  電動機室
８  コード
９  コードリール室
１０  排気フィルター
１１  排気口
１２  通風口
１３  コード出口
１４  排気穴
１５  車輪
１６  集塵フィルター
１７  上方開口した箱状リブ
１８  車輪の穴
１９  底面の排気口
２０  後上方開口した箱状リブ
２１  隔壁
【図１】
0003924852.tif 000002
【図２】
0003924852.tif 000003
【図３】
0003924852.tif 000004
【図４】
0003924852.tif 000005
【図５】
0003924852.tif 000006
【図６】
0003924852.tif 000007
【図７】
0003924852.tif 000008
【図８】
0003924852.tif 000009
【図９】
0003924852.tif 000010
【図１０】
0003924852.tif 000011
【図１１】
0003924852.tif 000012